(57)【要約】      （修正有）【課題】端末のＩＰアドレスを簡易に正しく把握でき、設定変更作業が簡易に正しくできる通信機器を提供する。【解決手段】複数の機器５２に接続され、該複数の機器の情報をＬＡＮ５３を介して上位装置５１に送る一方で、前記上位装置からの指令を複数の機器に送る通信機器０１において、数値またはアルファベットで構成される１２桁または３２桁のＩＰアドレスを設定するＩＰアドレス設定手段と、前記ＩＰアドレスを３桁ずつ、又は４桁ずつ表示可能であるとともにそれぞれの桁の右下にはドットを表示可能な表示部５０と、を備え、前記ＩＰアドレス設定手段により前記ＩＰアドレスの設定を行う場合に、前記表示部は前記ＩＰアドレスのうち最初の３桁、又は４桁を表示するとともに該３桁、又は４桁の最も右側の桁の表示の右下のみにドットを表示する。【選択図】図１
2014216732.tif 000002
【特許請求の範囲】
【請求項１】
複数の機器に接続され、該複数の機器の情報をＬＡＮを介して上位装置に送る一方で、前記上位装置からの指令を複数の機器に送る通信機器において、
数値またはアルファベットで構成される１２桁または３２桁のＩＰアドレスを設定するＩＰアドレス設定手段と、
前記ＩＰアドレスを３桁ずつ、又は４桁ずつ表示可能であるとともにそれぞれの桁の右下にはドットを表示可能な表示部と、を備え、
前記ＩＰアドレス設定手段により前記ＩＰアドレスの設定を行う場合に、前記表示部は前記ＩＰアドレスのうち最初の３桁、又は４桁を表示するとともに該３桁、又は４桁の最も右側の桁の表示の右下のみにドットを表示することを特徴とする通信機器。
【請求項２】
請求項１に記載の通信機器において、
前記ＩＰアドレス設定手段は、
前記表示部に表示された３桁、又は４桁のうち一の桁の設定を可能に構成されるとともに、
該３桁、又は４桁のうちの設定可能な一の桁の加算、又は減算する押下手段と、
該押下手段により変更した桁の表示にて設定を決定する決定手段と、を備えたことを特徴とする通信機器。
【請求項３】
請求項２に記載の通信機器において、
前記３桁、又は４桁のうちの設定可能な一の桁の表示は点滅している一方で、前記表示部に表示されたその他の桁の表示は点灯していることを特徴とする通信機器。
【請求項４】
請求項２に記載の通信機器において、
前記決定手段により設定を決定した場合に、前記３桁、又は４桁のうちの設定可能な一の桁から前記表示部に表示されたその他の桁に設定可能な桁が変わることを特徴とする通信機器。
【請求項５】
請求項１に記載の通信機器において、
前記ＩＰアドレス設定手段は、
前記表示部に表示された３桁、又は４桁のうち一の桁の設定を可能に構成されるとともに、
前記表示部に表示された３桁、又は４桁の全ての桁の設定をした後に、前記表示部に表示されていない他の３桁、又は４桁の設定が可能となることを特徴とする通信機器。
【請求項６】
機器は、室外機と室内機とが冷媒配管により接続されることにより構成される空気調和機であり、
該空気調和機と請求項１〜５の何れかに記載の通信機器とが接続されることにより構成される空気調和システム。
【発明の詳細な説明】
【技術分野】
【０００１】
本発明は通信装置及びこれを備えた空気調和システムに関する。
【背景技術】
【０００２】
パソコン等の機器をローカルエリアネットワーク（ＬＡＮ）に接続して通信を行うための接続機器としてＬＡＮアダプタが従来から知られている。このＬＡＮアダプタを使用するうえではＩＰアドレスをこのＬＡＮアダプタに設定する必要がある。
【０００３】
このＩＰアドレスの設定に関する従来技術としては、たとえば特許文献１（特開２００１−１６８８６８号公報）に記載のものがある。
【０００４】
この特許文献１には「ＬＡＮに接続するポータブル・ターミナル用アダプタのＩＰアドレスの設定を簡単に行えるようにすると共に、不正使用を防止することを目的として、ＩＣカード８からの情報を無線通信手段によって読み取るＩＣカード・リーダライタ部１２と、ポータブル・ターミナル７からの情報を光通信手段によって読み取るポータブル・ターミナルのデータ変換部１１と、ＣＰＵ３と、フラッシュ・メモリ４と、ＲＳ２３２Ｃ変換回路５と、ＬＡＮコントロール・ボード６とを備えたポータブル・ターミナル用アダプタ２０に、ＩＣカード８を接近させてそのカード情報であるアクセス管理番号とＩＰアドレスを読み取り、フラッシュ・メモリ４に格納してあるデータと比較したうえで、２組のデータが一致したときは、ＩＣカードからのＩＰアドレスをアダプタのＬＡＮのＩＰアドレスとする」ことが記載されている。
【先行技術文献】
【特許文献】
【０００５】
【特許文献１】特開２００１−１６８８６８号公報
【発明の概要】
【発明が解決しようとする課題】
【０００６】
ＬＡＮアダプタ等の端末のＩＰアドレスを表示、設定する際の一般的な方法は、当該端末にパソコンを接続し、パソコンの表示部を使用して表示、キーボードを使用して設定するのが一般的である。この場合、ＩＰアドレスを表示、設定するために、パソコンやパソコンと端末を接続するためのＬＡＮケーブルが必要で、接続するパソコンのＩＰアドレスを端末に合わせ設定するためのＩＰアドレスに関する知識が必要である点において、作業が煩雑である。
【０００７】
その煩雑さを回避するため端末本体に簡易な表示装置とボタンを設けＩＰアドレスの表示と設定を可能とする方法が考えられるが、簡易な表示装置ではそのまま数値またはアルファベット１２桁または３２桁のＩＰアドレスの表示内容を一覧で表示することはできず、単純に１２桁または３２桁の数字またはアルファベットを羅列表示する方法では設定内容の正確に把握するのは困難であった。また誤って設定を変更してしまうことも防止する必要があり、複雑な操作体系になる傾向にあった。
【０００８】
本発明は、端末のＩＰアドレスを簡易に正しく把握でき、設定変更作業が簡易に正しくできることを目的とする。
【課題を解決するための手段】
【０００９】
上記課題を解決するために、例えば特許請求の範囲に記載の構成を採用する。  
本願は上記課題を解決する手段を複数含んでいるが、その一例を挙げるならば、「複数の機器に接続され、該複数の機器の情報をＬＡＮを介して上位装置に送る一方で、前記上位装置からの指令を複数の機器に送る通信機器において、数値またはアルファベットで構成される１２桁または３２桁のＩＰアドレスを設定するＩＰアドレス設定手段と、前記ＩＰアドレスを３桁ずつ、又は４桁ずつ表示可能であるとともにそれぞれの桁の右下にはドットを表示可能な表示部と、を備え、前記ＩＰアドレス設定手段により前記ＩＰアドレスの設定を行う場合に、前記表示部は前記ＩＰアドレスのうち最初の３桁、又は４桁を表示するとともに該３桁、又は４桁の最も右側の桁の表示の右下のみにドットを表示する」ことを特徴とする。
【発明の効果】
【００１０】
本発明によれば、端末のＩＰアドレスを簡易に正しく把握でき、設定変更作業が簡易に正しくできることが可能となる。  
上記した以外の課題、構成及び効果は、以下の実施形態の説明により明らかにされる。
【図面の簡単な説明】
【００１１】
【図１】図１は本実施例のＬＡＮアダプタ等の通信機器（０１）による機器同士の接続を説明する図である。
【図２】図２は本実施例の通信機器（０１）の具体的な構成を説明するための図である。
【図３】図３はＩＰアドレス設定手段（０３）の状態においてＩＰアドレスを表示させる方法を説明する図である。
【図４】図４はＩＰアドレス設定手段（０３）の状態において図３下図の状態から右ボタン（２２）を押下した状態を説明する図である。
【図５】図５はＩＰアドレス設定手段（０３）の状態において、ＩＰアドレスの設定を変更する方法を説明する図である。
【図６】図６はＩＰアドレス設定手段（０３）の状態において、ＩＰアドレスの設定を変更する方法を説明する図である。
【図７】図７はＩＰアドレス設定手段（０３）からＩＰアドレス表示手段（０２）に遷移した状態を示す図である。
【発明を実施するための形態】
【００１２】
以下、実施例について、図面を用いて説明する。  
【実施例】
【００１３】
本発明は、表示部、キーボード、テンキーなどの高機能な入出力装置がない装置のＩＰアドレスの表示、設定方法に関する。  
図１は本実施例のＬＡＮアダプタ等の通信機器（０１）による機器同士の接続を説明する図である。ＬＡＮアダプタ等の通信機器（０１）は、上位装置（５１）であるパソコンをＬＡＮ（５３）に接続する機能を有する機器をいい、上位装置（５１）パソコンとＬＡＮとの通信の仲立ちをすることで、遠隔地から空気調和機などの設備機器を制御や監視を可能とする。また、本実施例では設備機器（５２）はたとえば空気調和機の室内機であり、上位装置（５１）に集中監視制御機能を持たせることで、上位装置（５１）から複数の設備機器（５２）の制御を行うことを可能とするものである。
【００１４】
通信機器（０１）はＬＡＮ（５３）を経由して上位装置（５１）と接続する一方で、制御配線（５４）を経由して空気調和機の室内機などの設備機器（５２）と接続する。通信機器（０１）は上位装置（５１）からの制御指令を設備機器（５２）に送信し、また設備機器（５３）の運転情報を制御配線（５４）を経由し上位装置（５１）に送信する。
【００１５】
通信機器（０１）は上位装置（５１）との接続にＬＡＮ（５３）を使用するため、ＩＰアドレスの設定が必要となる。ここで本実施例においては、この通信機器（０１）のＩＰアドレスの設定を容易に行うための機能について説明する。ＩＰアドレスは１２桁または３２桁の数字またはアルファベットの羅列であり、多くの通信機器（０１）はＩＰアドレスの表示、設定にはパソコンを接続して行う。具体的にはパソコンの表示部にＩＰアドレスを表示させ、さらに設定にはパソコンの入力部（キーボード）等を利用してＩＰアドレスの表示、設定を行うことが一般的である。この場合、ＩＰアドレスを表示、設定するために、パソコンと通信機器（０１）を接続するためのＬＡＮケーブル（５３）が必要で、接続するパソコンのＩＰアドレスを通信機器（０１）に合わせて設定するためのＩＰアドレスに関する知識が必要である点において、作業が煩雑である。
【００１６】
この作業の煩雑さを回避するため、本実施例の通信機器（０１）の構成について以下、説明する。  
図２は本実施例の通信機器（０１）の具体的な構成を説明するための図である。図２に示すように通信機器（０１）は簡易な表示部（５０）を備え、この表示部（５０）は７セグメントＬＥＤ（１１、１２、１３）を有している。具体的には表示部（５０）は７セグメントＬＥＤである１桁目表示部（１１）、２桁目表示部（１２）、３桁目表示部（１３）を備え、これにより合計３桁を表示することが可能である。各７セグメントＬＥＤ（１１、１２、１３）は直線状のＬＥＤを７つ組み合わせたもので、点灯させるパターンにより簡単な文字（数字など）を表示することを可能とするもので、全てのセグメントを点灯させると数字の８が表示される。
【００１７】
なお、１桁目表示部（１１）、２桁目表示部（１２）、３桁目表示部（１３）のそれぞれは、直線状の７つのＬＥＤ以外に小数点（ドット）を表示するためのＬＥＤも有しており、正確には８セグメントであるが、小数点が無かった頃の名残で７セグメントＬＥＤと呼ばれる。この７セグメントＬＥＤにより数字０〜９、アルファベットＡ〜Ｆと、別にドットを表示可能とする。
【００１８】
本実施例ではＩＰアドレスを１桁目表示部（１１）、２桁目表示部（１２）、３桁目表示部（１３）により数字又はアルファベットを３つずつ点灯表示することで表示する。
【００１９】
図２はＩＰアドレス設定手段（０３）について説明する図である。図２の上図はＩＰアドレス表示手段（０２）を示しており１２桁のＩＰアドレスの最初の３桁とドットが示されている。このＩＰアドレス表示手段（０２）において、決定ボタン（２５）を押下することにより図２下図のＩＰアドレス設定手段（０３）に遷移する。
【００２０】
図２下図のＩＰアドレス設定手段（０３）に遷移すると設定変更可能桁である３桁目表示部（１３）は点滅、変更不可能桁である１桁目表示部（１１）、２桁目表示部（１２）は点灯する、ＩＰアドレス設定手段（０３）に遷移すると３桁目表示部（１３）が点灯表示から点滅表示に切り替えることで、ＩＰアドレス表示手段（０２）からＩＰアドレス設定手段（０３）に遷移したことをユーザが認識可能となる。またユーザは３桁目表示部（１３）の数値の変更が可能になったことを認識可能となる。
【００２１】
ＩＰアドレス表示手段（０２）からＩＰアドレス設定手段（０３）に遷移するために、決定ボタン（２５）に押下させる手順を経由することで誤操作によるＩＰアドレスの誤設定を防止する。  
図３はＩＰアドレス設定手段（０３）の状態においてＩＰアドレスを表示させる方法を説明する図である。図３上図はＩＰアドレス設定手段（０３）に遷移した状態を示しており、この状態において左ボタン（２１）を押下すると図３下図の状態に遷移する。図３下図は左ボタン（２１）を押下した状態（４１）を示し、表示部（５０）は各７セグメントＬＥＤ（１１、１２、１３）のＩＰアドレスの表示桁とドットを１つ左に移動する。
【００２２】
図４はＩＰアドレス設定手段（０３）の状態において図３下図の状態から右ボタン（２２）を押下した状態を説明する図である。図４上図と図３下図は同様の状態であり、この状態において右ボタン（２２）を押下すると図４下図の状態（４２）に示すように、各７セグメントＬＥＤ（１１、１２、１３）のＩＰアドレスの表示桁とドットを１つ右に移動するので元の図３上図の状態に戻る。
【００２３】
図３、４で説明したようにＩＰアドレス設定手段（０３）の状態においては、各表示部７セグメントＬＥＤ（１１、１２、１３）の表示桁とともにドットが、左ボタン（２１）を押下すると左に移動した状態（４１）となり、右ボタン（２２）を押下すると右に移動した状態（４２）となることから、現在の表示桁の移動動作をユーザが認識できるようになる。
【００２４】
図５はＩＰアドレス設定手段（０３）の状態において、ＩＰアドレスの設定を変更する方法を説明する図である。図５上図は図４下図と同様の状態を示しており、図５下図は上ボタン（２３）を押下した状態を示す。図５上図では設定変更可能桁である３桁目表示部（１３）は点滅しており、この状態において上ボタン（２３）を押下すると、３桁目表示部（１３）の数字またはアルファベットの表示数が加算され、２と表示されていたものが３との表示に変化する（状態（４３））。
【００２５】
図６はＩＰアドレス設定手段（０３）の状態において、ＩＰアドレスの設定を変更する方法を説明する図である。図５下図の状態から下ボタン（２４）を押下することによりＩＰアドレスの設定変更可能桁である３桁目表示部（１３）の数字またはアルファベットの表示数を減算することが可能であり、３と表示されていたものが２との表示に戻る（状態（４４））。
【００２６】
各７セグメントＬＥＤ（１１、１２、１３）は数値が０〜９で１桁の場合でも、必ず３桁または４桁固定表示とし上の桁は０で埋めて表示することにより桁の増減による表示位置の突然の移動による煩雑さを防止する。たとえば１９３．１６８．０．２３というＩＰアドレスがあった場合には、０という表示ではなく０００、２３であれば０２３というように表示するようにする。
【００２７】
図７はＩＰアドレス設定手段（０３）からＩＰアドレス表示手段（０２）に遷移した状態を示す図である。図７上図ではＩＰアドレス設定手段（０３）の状態において３桁目表示部（１３）の設定を上ボタン（２３）、又は下ボタン（２４）を押下することで３とした状態を示す。この３桁目表示部（１３）を３と設定する場合には決定ボタン（２５）を押下し、これにより図７下図の状態に遷移する。図７下図の状態においては、３桁目表示部（１３）が点滅表示から点灯表示に切り替わることで、ＩＰアドレス表示手段（０２）に遷移する。
【００２８】
以上に説明したように、本実施例の通信機器（０１）は複数の設備機器（５２）に接続され、該複数の設備機器（５２）の情報をＬＡＮを介して上位装置（５１）に送る一方で、上位装置（５１）からの指令を複数の設備機器（５２）に送る。通信機器（０１）は数値またはアルファベットで構成される１２桁または３２桁のＩＰアドレスを設定するＩＰアドレス設定手段と、ＩＰアドレスを３桁ずつ、又は４桁ずつ表示可能であるとともにそれぞれの桁の右下にはドットを表示可能な表示部（５０）と、を備える。表示部（５０）は各桁を表示する各７セグメントＬＥＤ（１１、１２、１３）で構成される。
【００２９】
そしてＩＰアドレス設定手段によりＩＰアドレスの設定を行う場合に、表示部（５０）はＩＰアドレスのうち最初の３桁、又は４桁を表示するとともに該３桁、又は４桁の最も右側の桁の表示の右下のみにドットを表示するものである。
【００３０】
またＩＰアドレス設定手段は、表示部（５０）に表示された３桁、又は４桁のうち一の桁の設定を可能に構成されるとともに、該３桁、又は４桁のうちの設定可能な一の桁の加算、又は減算する押下手段（上ボタン（２３）、下ボタン（２４））と、押下手段（上ボタン（２３）、下ボタン（２４））により変更した桁の表示にて設定を決定する決定手段（決定ボタン（２５））と、を備えたものである。
【００３１】
また、３桁、又は４桁のうちの設定可能な一の桁の表示は点滅している一方で、前記表示部に表示されたその他の桁の表示は点灯していることが望ましい。図３で説明すると３桁目表示部（１３）の２は点滅しているが、１桁目表示部（１１）の１と、２桁目表示部（１２）の９の表示は点灯したものとなっている。
【００３２】
また決定手段（決定ボタン（２５））により設定を決定した場合に、３桁、又は４桁のうちの設定可能な一の桁から表示部（５０）に表示されたその他の桁に設定可能な桁が変わることが望ましい。つまり、図２で説明すると３桁目表示部（１３）の設定を決定手段（決定ボタン（２５））により２で決定した場合、１桁目表示部（１１）に表示されている桁、あるいは１桁目表示部（１２）に表示されている桁の設定が可能となる。なお、表示部（５０）に表示されている桁に限らず、右隣の桁（図２では３桁目表示部（１３）の右隣の１）の設定を変更可能としてもよい。また、順番としては１桁目表示部（１１）から２桁目表示部（１２）、３桁目表示部（１３）の順番に設定が可能としてもよい。
【００３３】
また、ＩＰアドレス設定手段（０３）は、表示部（５０）に表示された３桁、又は４桁のうち一の桁の設定を可能に構成されるとともに、表示部（５０）に表示された３桁、又は４桁の全ての桁の設定をした後に、表示部（５０）に表示されていない他の３桁、又は４桁の設定が可能となるようにしてもよい。図３で説明すると「１９３」、「１６８」、「０００」、「０２３」の順に設定が可能とする。
【００３４】
また設備機器（５２）は、室外機と室内機とが冷媒配管により接続されることにより構成される空気調和機であり、この空気調和機と上記した通信機器とが接続されることによりユーザにとって利便性の高い空気調和システムを構成することが可能である。以上に説明した本実施例によりパソコンやＬＡＮケーブルなどの機材や関連する知識がなくても、簡易に誤りなく、通信機器（０１）のＩＰアドレスを表示、設定が可能になる。
【符号の説明】
【００３５】
（０１）…通信機器、（０２）…ＩＰアドレス表示手段、（０３）…ＩＰアドレス設定手段、（１１）…１桁目表示部、（１２）…２桁目表示部、（１３）…３桁目表示部、（２１）…左ボタン、（２２）…右ボタン、（２３）…上ボタン、（２４）…下ボタン、（２５）…決定ボタン、（５１）…上位装置、（５２）…設備機器、（５３）…ＬＡＮ、（５０）…表示部。
【図１】
2014216732.tif 000003
【図２】
2014216732.tif 000004
【図３】
2014216732.tif 000005
【図４】
2014216732.tif 000006
【図５】
2014216732.tif 000007
【図６】
2014216732.tif 000008
【図７】
2014216732.tif 000009